(57)【要約】【課題】複数のケーブル引込孔を備えたエントランスキャップ又はターミナルキャップにおいて、ケーブル引込孔に対してケーブルを挿通状態にする作業を容易にすることである。【解決手段】屋外に設置され、屋外から屋内に電力を供給するケーブルＫを内部に収納するパイプＰの端部に取付けられ、前記ケーブルＫを前記パイプＰ内に引き込む際の引込部分に使用されるエントランスキャップであって、前記パイプＰが接続される接続口１０と、開口２を有し、ケーブルＫを収容するためのケーブル収容部３を備えたキャップ本体Ｂ１　と、複数のケーブル引込孔Ｈ１　を備えていて、前記キャップ本体Ｂ１　の開口２を閉塞する蓋体Ｌ１　とから成り、前記蓋体Ｌ１　は、ケーブル引込孔Ｈ１　に対してケーブルＫを側方から挿入可能とする挿入開口を形成すべく分離可能に形成された構成とする。【選択図】　　　　図２
2004129326.tif 000002
【特許請求の範囲】
【請求項１】
屋外に設置され、屋外から屋内に電力を供給するケーブルを内部に収納するパイプの端部に取付けられ、前記ケーブルを前記パイプ内に引き込む際の引込部分に使用されるエントランスキャップであって、
前記パイプが接続される接続口と、
開口を有し、ケーブルを収容するためのケーブル収容空間を備えたキャップ本体と、
複数のケーブル引込孔を備えていて、前記キャップ本体の開口を閉塞する蓋体とから成り、
前記蓋体は、ケーブル引込孔に対してケーブルを側方から挿入可能とする挿入開口を形成すべく分離可能に形成されていることを特徴とするエントランスキャップ。
【請求項２】
蓋体には、屋外に設置されるパイプが接続される接続口が設けられていることを特徴とする請求項１に記載のエントランスキャップ。
【請求項３】
蓋体に設けられた複数のケーブル引込孔は、該蓋体の分離により全てに挿入開口が形成される構成であることを特徴とする請求項１又は２に記載のエントランスキャップ。
【請求項４】
蓋体は、パイプの端部に嵌合される嵌合筒部に一体に設けられた第１蓋体部と、該第１蓋体部との重合部分においてビス類を介して前記第１蓋体部と一体となってキャップ本体に固定される第２蓋体部とに分離され、
前記重合部分において、第２蓋体部は、第１蓋体部の外側に配置されることを特徴とする請求項１ないし３のいずれかに記載のエントランスキャップ。
【請求項５】
蓋体の分離状態で、挿入開口が設けられるケーブル引込孔の周囲には、略半円筒状の防雨半筒部が外側に向けて形成され、分離状態の蓋体を一体に組み付けることにより、一対の防雨半筒部が合体して、円筒状の防雨筒部となることを特徴とする請求項１ないし４のいずれかに記載のエントランスキャップ。
【請求項６】
屋外に設置され、屋外から屋内に電力を供給するケーブルを内部に収納するパイプの端部に取付けられ、前記ケーブルを前記パイプ内に引き込む際の引込部分に使用されるターミナルキャップであって、
前記パイプが接続される接続口と、
開口を有し、ケーブルを収容するためのケーブル収容空間を備えたキャップ本体と、
複数のケーブル引込孔を備えていて、前記キャップ本体の開口を閉塞する蓋体とから成り、
前記蓋体は、ケーブル引込孔に対してケーブルを側方から挿入可能とする挿入開口を形成すべく分離可能に形成されていることを特徴とするターミナルキャップ。
【請求項７】
蓋体には、屋外に設置されるパイプが接続される接続口が設けられていることを特徴とする請求項６に記載のターミナルキャップ。
【請求項８】
蓋体に設けられた複数のケーブル引込孔は、該蓋体の分離により全てに挿入開口が形成される構成であることを特徴とする請求項６又は７に記載のターミナルキャップ。
【請求項９】
蓋体は、パイプの上端部に嵌合される嵌合筒部に一体に設けられた第１蓋体部と、該第１蓋体部との重合部分においてビス類を介して前記第１蓋体部と一体となってキャップ本体に固定される第２蓋体部とに分離され、
前記重合部分において、第２蓋体部は、第１蓋体部の外側に配置されることを特徴とする請求項６ないし８のいずれかに記載のターミナルキャップ。
【請求項１０】
蓋体の分離状態で、挿入開口が設けられるケーブル引込孔の周囲には、略半円筒状の防雨半筒部が外側に向けて形成され、分離状態の蓋体を一体に組み付けることにより、一対の防雨半筒部が合体して、円筒状の防雨筒部となることを特徴とする請求項６ないし９のいずれかに記載のターミナルキャップ。
【発明の詳細な説明】
【０００１】
【発明の属する技術分野】
本発明は、屋外に設置され、屋外から屋内に電力を供給するケーブルを内部に収納するパイプの端部に取付けられ、前記ケーブルを前記パイプ内に引き込む際の引込部分に使用されるエントランスキャップ、及びターミナルキャップに関するものである。
【０００２】
【従来の技術】
従来より、図１０に示されるように、屋外から屋内に電力を供給するためのケーブルＫを屋内に引き込む際に、その引込部分にキャップＣ’が使用されている。このキャップＣ’は、深い碗状をしたキャップ本体Ｂ’と、このキャップ本体Ｂ’の開口を覆う蓋体Ｌ’とで構成される。蓋体Ｌ’は、複数のケーブル引込孔４１と、屋外に立てられたパイプＰの上端部に嵌合接続される嵌合筒部４２とを備えている。ケーブル引込用キャップには、パイプＰの上端部に接続された状態で、図１０のようにケーブル引込孔４１が斜下方を向く「エントランスキャップ」と、ケーブル引込孔４１が水平方向を向く「ターミナルキャップ」とがある。
【０００３】
そして、屋外からのケーブルＫは、引込孔４１を通ってキャップＣ’内に引き込まれ、パイプＰ内を通って屋内に引き込まれる。ここで、キャップＣ’の外部からその内部にケーブルＫを引き込むには、ケーブルＫを引込孔４１に挿通する必要があり、前記引込孔４１に対して長尺状のケーブルを挿通する作業は極めて面倒であった。特に、キャップＣ’には、複数の引込孔４１が設けられているために、複数の引込孔４１にケーブルＫを１本ずつ挿通する作業は、極めて面倒であり、しかも多くの時間も要した。
【０００４】
【発明が解決しようとする課題】
本発明の課題は、複数のケーブル引込孔を備えたエントランスキャップ又はターミナルキャップにおいて、ケーブル引込孔に対してケーブルを挿通状態にする作業を容易にすることである。
【０００５】
【課題を解決するための手段】
上記の課題を解決するための請求項１の発明は、屋外に設置され、屋外から屋内に電力を供給するケーブルを内部に収納するパイプの端部に取付けられ、前記ケーブルを前記パイプ内に引き込む際の引込部分に使用されるエントランスキャップであって、前記パイプが接続される接続口と、開口を有し、ケーブルを収容するためのケーブル収容空間を備えたキャップ本体と、複数のケーブル引込孔を備えていて、前記キャップ本体の開口を閉塞する蓋体とから成り、前記蓋体は、ケーブル引込孔に対してケーブルを側方から挿入可能とする挿入開口を形成すべく分離可能に形成されていることＡ　特徴としている。
【０００６】
請求項１の発明によれば、蓋体を分離させると、ケーブル引込孔の側方に挿入開口が形成されるため、この状態で、屋外から屋内に引き込むケーブルを前記ケーブル引込孔の側方から内部に挿入可能となる。即ち、従来のケーブル引込孔のように、その全周が閉塞された孔状ではなくて、側方に開口しているために、孔に対して長尺のケーブルを挿通する面倒な作業が不要となって、長尺のケーブルを、その長手方向の略直交する方向に移動させて、ケーブル引込孔の開口から、その内部に単に挿入するのみでよい。そして、ケーブルの挿入後において、分離状態の蓋体を一体に組み付けると、側方に開口していたケーブル引込孔は、全周が閉塞された完全孔状となる。このため、屋外から屋内にケーブルを引き込む作業の能率が高まる。
【０００７】
また、請求項２の発明は、請求項１の発明において、蓋体には、屋外に設置されるパイプが接続される接続口が設けられていることを特徴としている。
【０００８】
請求項２の発明によれば、請求項１の発明の上記作用効果に加えて、パイプに蓋体のみを接続した状態で、ケーブルの引込作業を行えるので、この引込作業が容易となる。
【０００９】
また、請求項３の発明は、請求項１又は２の発明において、蓋体に設けられた複数のケーブル引込孔は、該蓋体の分離により全てに挿入開口が形成される構成であることを特徴としている。
【００１０】
請求項３の発明によれば、請求項１又は２の発明の上記作用効果に加えて、蓋体の分離により、複数のケーブル引込孔の全てに挿入開口が形成されるために、屋外から屋内にケーブルを引き込む際に、孔に対するケーブルの挿通作業が全く不要となるため、ケーブル引込作業の能率が一層高まる。
【００１１】
また、請求項４の発明は、請求項１ないし３のいずれかの発明において、蓋体は、パイプの端部に嵌合される嵌合筒部に一体に設けられた第１蓋体部と、該第１蓋体部との重合部分においてビス類を介して前記第１蓋体部と一体となってキャップ本体に固定される第２蓋体部とに分離され、前記重合部分において、第２蓋体部は、第１蓋体部の外側に配置されることを特徴としている。
【００１２】
請求項４の発明によれば、請求項１ないし３のいずれかの発明の上記作用効果に加えて、嵌合筒部に一体に設けられた第１蓋体部の重合部である自由端部は、その外側に第２蓋体部が配置されて、両蓋体部は、その重合部においてビス類を介してキャップ本体に固定される構造になっている。このため、第１蓋体部の自由端部に設けられるケーブル引込孔に、該引込孔に挿通状態となったケーブルの荷重が作用しても、第１蓋体部は変形しなくなる。よって、蓋体のケーブル引込孔の部分は、分離構造になっているにもかかわらず、当該引込孔に挿通状態となっているケーブルの支持強度は低下しない。
【００１３】
また、請求項５の発明は、請求項１ないし４のいずれかの発明において、蓋体の分離状態で、挿入開口が設けられるケーブル引込孔の周囲には、略半円筒状の防雨半筒部が外側に向けて形成され、分離状態の蓋体を一体に組み付けることにより、一対の防雨半筒部が合体して、円筒状の防雨筒部となることを特徴としている。
【００１４】
請求項５の発明によれば、請求項１ないし４のいずれかの発明の上記作用効果に加えて、蓋体の分離状態で、屋外からケーブルを引き込む場合には、その挿入開口からケーブル引込孔の内部にケーブルを挿入できて、ケーブルの引込作業が容易になるのに加えて、挿入開口を形成している防雨半筒部が、ケーブルの配線方向に所定の長さを有しているため、ケーブルが局部的に大きく屈曲されなくなって、その仮保持状態が安定する。また、蓋体を組み付けてキャップとして本来の使用に供する場合には、防雨筒部の存在によって、キャップ内に雨水が浸入するのを効果的に防止できて、キャップ内に収容されたケーブルが雨水から保護される。
【００１５】
請求項６ないし１０の各発明は、いずれも請求項１ないし５の各発明のエントランスキャップをターミナルキャップとして把握したものであって、その構成、及び作用効果は、上述したエントランスキャップのそれと実質的に同一である。
【００１６】
【発明の実施の形態】
以下、実施形態を挙げて、本発明について更に詳細に説明する。図１は、本発明に係るケーブル引込用のエントランスキャップ（以下、単に「キャップ」と略する場合もある）Ｃ１　の使用状態の斜視図であり、図２は、キャップＣ１　の分離状態の斜視図であり、図３は、キャップＣ１　を構成する蓋体Ｌ１　の分離状態の斜視図であり、図４は、同様の状態を異なる方向から見た斜視図であり、図５は、蓋体Ｌ１　を構成する第１及び第２の各蓋体部Ｌ１１，　Ｌ１２の重複部を主体に示す図であり、図６は、図５のＸ−Ｘ線断面図である。図１及び図２に示されるように、エントランスキャップＣ１　は、樹脂で製作されて、深い碗状をしたキャップ本体Ｂ１　と、該キャップ本体Ｂ１　の開口を覆うための蓋体Ｌ１　とで構成される。
【００１７】
キャップ本体Ｂ１　は、後述の第１蓋体部Ｌ１１の嵌合筒部１１の外側を覆う筒部覆部１と、その開口２の全面が蓋体Ｌ１　で覆われて、わん曲状態のケーブルＫを収容するためのケーブル収容部３とから成り、ケーブル収容部３の開口２と筒部覆部１の開口４とは連続している。ケーブル収容部３及び筒部覆部１の各下端面は互いに連続しており、図９に示されるように、キャップＣ１　をパイプＰの上端部に嵌め込んだ状態において、ケーブル収容部３の下端面は、水平線に対して略４５°の角度で傾斜していると共に、筒部覆部１の下端面は、これよりも小さな角度で傾斜しており、ケーブル収容部３及び筒部覆部１の各下端面の接続部は、緩やかな屈曲状態となっている。キャップ本体Ｂ１　のケーブル収容部３の内側の相対向する部分には、一対のボス部５が設けられており、図６に示されるように、各ボス部５には、ビス６の下孔７が形成されている。この下孔７は、奥側に向けて小径となるような段差状に形成されていて、ビス６の雄ねじ６ａは、最も奥側のテーパー下孔部７ａに螺合される。
【００１８】
キャップ本体Ｂ１　のケーブル収容部３の開口２は、その内側に蓋体Ｌ１　が嵌合された状態で覆われるために、前記各ボス部５の前端面５ａは、ケーブル収容部３の開口端面３ａに対して蓋体Ｌ１　の略板厚分だけ奥側に配置されている。即ち、各ボス部５の前端面５ａは、ケーブル収容部３の開口２に蓋体Ｌ１　を嵌合させる際において、奥行方向の位置決め面として機能する。また、キャップ本体Ｂ１　のケーブル収容部３の斜最上端部であって、横方向に沿って前記一対の各ボス部５の間には、該ボス部５の前端面５ａと同一機能を果たす位置決め突起８ａが設けられ、キャップ本体Ｂ１　の筒部覆部１の内周面には、第１蓋体部Ｌ１１の嵌合筒部１１の上端面１１ａ（図５参照）に当接して、嵌合深さを定めるための複数の位置決め突起８ｂが設けられている。
【００１９】
蓋体Ｌ１　は、二つに分離されていて、パイプＰの上端部に嵌合される嵌合筒部１１に一体に設けられた第１蓋体部Ｌ１１と、該第１蓋体部Ｌ１１との重合部において一対のビス６を介して前記第１蓋体部Ｌ１１と一体となってキャップ本体Ｂ１　に固定される第２蓋体部Ｌ１２とで構成され、第１及び第２の各蓋体部Ｌ１１Ｌ１２が一体に組み付けられることにより、３個のケーブル引込孔Ｈ１　が形成される構成になっている。図１及び図５に示されるように、３個のケーブル引込孔Ｈ１　は、使用状態（取付状態）において、蓋体Ｌ１　の斜上下方向の中央部に横方向に沿って２個のケーブル引込孔Ｈ１　が設けられて、この２個のケーブル引込孔Ｈ１　の中央であって、しかもこの中央位置から斜上方に所定距離だけ離れた部分に１個のケーブル引込孔Ｈ１　が設けられる。よって、第１及び第２の各蓋体部Ｌ１１，Ｌ１２を分離させた状態では、ケーブル引込孔Ｈ１　を形成する部分は、その側方に開口された半円状となっている。
【００２０】
即ち、図１及び図５に示されるように、蓋体Ｌ１　は、組付け状態で計３個のケーブル引込孔Ｈ１　が形成され、第１及び第２の各蓋体部Ｌ１１，　Ｌ１２は、３個の各ケーブル引込孔Ｈ１　の斜両側方の部分において相互に重合部が重合される構成になっている。ここで、図６に明瞭に図示されているように、蓋体Ｌ１　におけるケーブル引込孔Ｈ１　が設けられる部分には、その表裏の両周縁に、蓋体Ｌ１　の表裏の各面と段差を有する補強用の厚肉リング部１２が設けられており、ケーブル引込孔Ｈ１　及び厚肉リング部１２の図示に関して、蓋体Ｌ１　が分離された状態では、それぞれ半円状及び半リング状となり、組付状態の符号に「’」を付すこととする。図３に明瞭に示されているように、第１蓋体部Ｌ１１の斜上端縁は、ほぼ水平な一直線状になっていて、使用状態（取付状態）において最も高い部分に位置するケーブル引込孔Ｈ１　の中心に位置しており、中央と、その両側の計３つの突出片１３，１４が横方向に設けられ、３つの各突出片１３，１４の間にそれぞれ溝状のケーブル挿入口１５が形成されている。各ケーブル挿入口１５の底部には、それぞれ半円状をしたケーブル引込孔Ｈ１’が形成されていると共に、中央の突出片１３の先端部には、同じく半円状をしたケーブル引込孔Ｈ１’が形成されている。また、両側の各突出片１４の先端に近い部分には、それぞれビス挿通孔１６が形成されている。また、中央の突出片１３の外面であって、その幅方向の両端部（前記各ケーブル挿入口１５に臨む部分）には、他の平面部に対して凹状となった嵌合重合部１７（図３参照）がそれぞれ斜上下方向に沿って形成されている。また、両側の各突出片１３，１４の先端部の外面は、他の平面部と同一平面に形成されて、それぞれ当接重合部１８を形成している。このように、厚肉リング部１２を除いて、第１蓋体部Ｌ１１の外面には、中央の突出片１３の幅方向の両側に凹状の嵌合重合部１７が形成されて段差面が設けられているが、その内面は、同一平面となっている（図４参照）。
【００２１】
また、図３及び図４に示されるように、第２蓋体部Ｌ１２の斜下端縁は、横方向の両端部を除いてほぼ水平な一直線状になっていて、使用状態（取付状態）において、横方向に配置された斜下側の２個のケーブル引込孔Ｈ１　の中心に位置しており、その内面における横方向の中央部に、横方向に沿って中央に位置し、斜方向に沿って最も高い部分に位置するケーブル引込孔Ｈ１’に達する嵌合孔１９が形成され、該嵌合孔１９の両側に、第１蓋体部Ｌ１１に設けられた各嵌合重合部１７に対して嵌合重合する凹状をした各嵌合重合部２１がそれぞれ設けられている。また、第２蓋体部Ｌ１２の内面における横方向の両端部には、第１蓋体部Ｌ１１に設けられた各当接重合部１８を嵌合状態で当接重合させるための凹状の各嵌合重合部２２が側方及び斜下方の双方に開口した状態でそれぞれ設けられ、各嵌合重合部２２には、ビス挿通溝２３が斜下方に開口して設けられている。なお、図３に示されるように、第２蓋体部Ｌ１２の外面においては、その内面の各嵌合重合部２１に対応する部分のみが、他の平面部に対して厚肉リング部１２と同一平面を形成するように部分突出している。
【００２２】
このため、図５に示されるように、第１蓋体部Ｌ１１の外面に設けられた２個の嵌合重合部１７と、この外側に設けられた当接重合部１８との計４個の各重合部（第２蓋体部Ｌ１２の側から見れば、その内面に形成された中央の２個の嵌合重合部２１と、その両側に設けられた２個の嵌合重合部２２との計４個の重合部）は、横方向に沿ってほぼ並んで配置される。
【００２３】
そして、第２蓋体部Ｌ１２を第１蓋体部Ｌ１１から分離させた状態では、図２ないし図４に示されるように、第１蓋体部Ｌ１１の各ケーブル引込孔Ｈ１’は、いずれも半円状となって側方（使用状態では、斜上方）に開口していると共に、斜上下方向に沿って同一高さであって、横方向に沿って所定間隔をおいて設けられた斜下方の２個のケーブル引込孔Ｈ１’に関しては、溝状の各ケーブル挿入口１５の底部に形成されることとなる。一方、第１及び第２の各蓋体部Ｌ１１，　Ｌ１２を上記した各重合部１７，１８（２１，２２）で互いに重合させると、第１蓋体部Ｌ１１において側方に開口されていた３つの各ケーブル引込孔Ｈ１’は、いずれも第２蓋体部Ｌ１２の各ケーブル引込孔Ｈ１’と合体して、その全周が閉塞された完全孔状のケーブル引込孔Ｈ１　となる。
【００２４】
また、第１蓋体部Ｌ１１には、嵌合筒部１１が一体に設けられていて、該嵌合筒部１１を屋外において略垂直に立てられたパイプＰの上端部に嵌合させた状態において、第１蓋体部Ｌ１１が水平に対して略４５°だけ傾斜する関係からして、第１蓋体部Ｌ１１の蓋体面と嵌合筒部１１の軸心とは、略１３５°で交差している。この嵌合筒部１１の開口は、前記パイプＰに体して接続する接続口１０（図３参照）となっている。また、図６で拡大して図示されているように、第１蓋体部Ｌ１１に設けられたビス挿通孔１６及び第２蓋体部Ｌ１２に設けられたビス挿通溝２３の各内周面には、薄肉片２４，２５が突出して設けられている。この薄肉片２４，２５は、ケーブルＫを屋外から屋内に引き込んで、その引込部分をキャップＣ１　で覆う配線作業時において、キャップ本体Ｂ１　の開口２を覆う蓋体Ｌ１　を、該キャップ本体Ｂ１　にビス６を介して固定する際に、斜上方を向いた窮屈な姿勢で行わざるを得ないために、不注意によりビス６を落下させ易いので、前記ビス挿通孔１６及びビス挿通溝２３に挿通されたビス６の雄ねじ６ａを引っ掛けて、その落下を防止するためのものであり、配線終了後においては、蓋体Ｌ１　のビス挿通孔１６を通って内部に雨水が浸入するのを防止する機能も併有する。なお、第１蓋体部Ｌ１１において、その板体部と嵌合筒部１１との間には、補強リブ２６が設けられている。
【００２５】
そして、上記したキャップＣ１　を使用して、電柱のケーブルに接続されたケーブルＫを屋外から屋内に引き込むには、以下のようにして行われる。図１、図２及び図９にそれぞれ示されるように、建物の壁面Ｗには、止め具３０を介して屋内側のケーブルＫを挿通するパイプＰがほぼ垂直に固定されて、該パイプＰの上端部にキャップＣ１　が接続される。そして、屋外側から屋内側にケーブルを引き込む際には、図２に示されるように、蓋体Ｌ１　を構成する第１及び第２の蓋体部Ｌ１１，　Ｌ１２を分離させて、パイプＰの上端部には、第１蓋体部Ｌ１１の嵌合筒部１１を外嵌により接続して行う。この状態では、３個のケーブル引込孔Ｈ１’は、いずれもケーブルの挿通方向に対して側方（　空間に対しては斜上方）　に開口していて、いずれもケーブルＫの挿入開口として機能する。即ち、両側の２個のケーブル引込孔Ｈ１’は、溝状のケーブル挿入口１５の底部に設けられていて、ケーブル挿入口１５として機能すると共に、中央のケーブル引込孔Ｈ１’は、略半円状となっていて、その開口がケーブル挿入開口２７として機能する。
【００２６】
このため、図２に示されるように、屋外からパイプＰ内に引き込まれるケーブルＫは、前記パイプＰの上端部に接続された第１蓋体部Ｌ１１の各ケーブル引込孔Ｈ１’の側方の各ケーブル挿入開口１５，２７からケーブルＫを挿入して、支持状態となるように配線する。次に、第１蓋体部Ｌ１１の各嵌合重合部１７及び当接重合部１８の計４個の各重合部の外側に、第２蓋体部Ｌ１２の内側の計４個の各嵌合重合部２１，２２を互いに重合させ、この状態において、キャップ本体Ｂ１　を垂直下方に移動させて、その筒部覆部１を第１蓋体部Ｌ１１の嵌合筒部１１の上端部に嵌め込んで部分的に覆うと共に、キャップ本体Ｂ１　の開口２を、一体に組み付けられた蓋体Ｌ１　により覆う。この状態で、第１蓋体部Ｌ１１の各ビス挿通孔１６及び第２蓋体部Ｌ１２の各ビス挿通溝２３にビス６を挿通させて、２本のビス６をキャップ本体Ｂ１　のボス部５に形成された下孔７にそれぞれ螺合させると、２本のビス６を介して第１及び第２の各蓋体部Ｌ１１，　Ｌ１２が一体に組み付けられて蓋体Ｌ１　となると共に、一体となって蓋体Ｌ１　は、キャップ本体Ｂ１　の開口２を覆った状態で、該キャップ本体Ｂ１　に取付けられる。
【００２７】
なお、第２蓋体部Ｌ１２のビス挿通部（ビス挿通溝２３）は、溝状になっているために、第１蓋体部Ｌ１１のビス挿通孔１６にビス６を挿通した後に、第１蓋体部Ｌ１１に対して第２蓋体部Ｌ１２を近接させて、ビス挿通溝２３に対して相対的にビス６を挿通する作業形態も可能である。
【００２８】
特に、本実施形態では、第１蓋体部Ｌ１１の各重合部１７，１８が設けられている自由端部の外側に、第２蓋体部Ｌ１２の各重合部２１，２２が当てがわれて、両蓋体部Ｌ１１　，Ｌ１２が２本のビス６を介してキャップ本体Ｂ１　に固定される構成である。このため、第１蓋体部Ｌ１１の各ケーブル引込孔Ｈ１’で支持されるケーブルＫの自重により、この第１蓋体部Ｌ１１は、外側に変形され易いが、上記構成によって、第１蓋体部Ｌ１１の自由端部の外側は、第２蓋体部Ｌ１２により支持されているため、上記変形が防止されて、長期間使用しても、第１蓋体部Ｌ１１の自由端部が外側に変形されて、第１及び第２の各蓋体部Ｌ１１，　Ｌ１２の接続部の間に段差が生ずる不具合が確実に防止される。特に、横方向に沿って中央の１個のケーブル引込孔Ｈ１’は、第１蓋体部Ｌ１１の最も自由端に近い部分に形成されている関係からして、最も変形され易いが、上記構成により、この変形を確実に防止できる。なお、図１において、２８は、両蓋体部Ｌ１１　，Ｌ１２の接合線を示す。
【００２９】
引き続いて、図７及び図８を参照にして、本発明の第２実施形態のキャップＣ２　について説明する。図７は、キャップＣ２　の使用状態の斜視図であり、図８は、同じく分解斜視図である。なお、第２実施形態のキャップＣ２　は、ケーブル引込孔Ｈ２　からキャップ本体Ｂ２　内に雨水等が浸入して、ケーブルＫが腐食されるのを防止できる点に特徴を有し、他の構成は、前記キャップＣ１　と同一であるので、同一部分には、同一符号を付して異なる部分についてのみ説明する。
【００３０】
図７及び図８に示されるように、キャップＣ２　は、キャップ本体Ｂ２　と蓋体Ｌ２　とで構成され、蓋体Ｌ２　は、第１及び第２の各蓋体部Ｌ２１，　Ｌ２２で構成され、蓋体Ｌ２　の各ケーブル引込孔Ｈ２　の部分は、外側に突出した筒状に形成されて、防雨筒部３２となっている。このため、蓋体Ｌ２　を構成する第１及び第２の各蓋体部Ｌ２１，　Ｌ２２のケーブル引込孔Ｈ２’の部分には、半円筒状をした防雨半筒部３２’がそれぞれ外側に向けて一体に設けられている。このため、斜下方に配置される２個のケーブル挿入口１５に関しては、前記キャップＣ１　と同一構造となるが、斜上方の１個のケーブル挿入開口３１１４防雨半筒部３２’の長さ分だけの長さを有していることとなって、後述のように、その機能が高まる。
【００３１】
このキャップＣ２　によれば、蓋体Ｌ２　の分離状態で、屋外からケーブルＫを引き込む際に、ケーブル挿入開口３１を形成している防雨半筒部３２’が、ケーブルＫの配線方向に所定の長さを有している。このため、蓋体Ｌ２　の分離状態で、パイプＰの上端部に接続された第１蓋体部Ｌ２１の３個のケーブル引込孔Ｈ２’に対してそれらの側方の各ケーブル挿入開口１５，３１からケーブルＫを挿入して支持させる際に、ケーブルＫが局部的に大きく屈曲されなくなって、その支持状態が安定する。また、キャップ本体Ｂ２　の開口２を蓋体Ｌ２　で覆って、キャップＣ２　として本来の使用に供する場合には、防雨筒部３２の存在によって、キャップＣ２　内に雨水が浸入するのを効果的に防止できて、キャップＣ２　内に収容されたケーブルが雨水から保護される。
【００３２】
また、上記各実施形態では、蓋体の分離状態で、パイプの側に接続される蓋体部に設けられる全てのケーブル引込孔に、側方に開口したケーブル挿入開口が設けられているために、屋外から屋内にケーブルを引き込む際に、孔に対する挿通作業が全く不要となって、ケーブルの引込作業の能率が最大限に高まる利点がある。しかし、蓋体に設けられる複数のケーブル引込孔の一部のみに挿入開口を設ける構成にすることも可能である。
【００３３】
また、上記各実施形態は、いずれも本発明を「エントランスキャップ」に実施したものであるが、本発明は、蓋体に設けられたケーブル引込孔が水平方向を向く「ターミナルキャップ」に対しても実施可能である。
【００３４】
また、上記各実施形態においては、「屋外に設置されるパイプが接続される接続口」は、いずれも蓋体の側に設けられているため、前記パイプに蓋体のみを接続した状態で、ケーブルの引込作業を行えて、該引込作業が容易となる利点がある。しかし、本発明においては、キャップ本体の側に前記接続口を設けることも可能であり、この場合には、単独状態の蓋体のケーブル引込孔にケーブルを挿入した状態で、この蓋体をキャップ本体に取付けることとなる。
【００３５】
また、上記実施形態においては、その上端部にキャップＣ１，Ｃ２　が接続されるパイプＰは、その全体が屋外に設置されている例を挙げたが、パイプの大部分が屋内に配置されて、その上端部の水平屈曲部のみが屋内から屋外に突出していて、この水平屈曲部の突出端にキャップが取付けられて配線される場合もある。この配線においては、ターミナルキャップでは、ケーブル引込孔が直下を向き、エントランスキャップでは、ケーブル引込孔が建物の壁面側と対向して斜下方を向くこととなる。
【００３６】
【発明の効果】
本発明に係るエントランス又はターミナルの各キャップは、そのキャップ本体を覆う蓋体を分離させると、ケーブル引込孔の側方に挿入開口が形成された状態で、屋外から屋内に引き込むケーブルを前記ケーブル引込孔の側方から内部に挿入可能となるので、長尺のケーブルを、ケーブル引込孔の開口から、その内部に単に挿入するのみでよく、屋外から屋内にケーブルを引き込む作業の能率が高まる。
【図面の簡単な説明】
【図１】本発明に係るケーブル引込用のエントランスキャップＣ１　の斜視図である。
【図２】キャップＣ１　の分離状態の斜視図である。
【図３】キャップＣ１　を構成する蓋体Ｌ１　の分離状態の斜視図である。
【図４】同様の状態を異なる方向から見た斜視図である。
【図５】蓋体Ｌ１　を構成する第１及び第２の各蓋体部Ｌ１１，　Ｌ１２の重複部を主体に示す図である。
【図６】図５のＸ−Ｘ線断面図である。
【図７】本発明の第２実施形態のキャップＣ２　の斜視図である。
【図８】同じく分解斜視図である。
【図９】本発明に係るキャップＣ１（Ｃ２）の使用状態の斜視図である。
【図１０】従来のキャップＣ’の斜視図である。
【符号の説明】
Ｂ１，Ｂ２　：キャップ本体
Ｃ１，Ｃ２　：エントランスキャップ
Ｈ１，Ｈ２　：ケーブル引込孔
Ｌ１，Ｌ２　：蓋体
Ｌ１１，　Ｌ２１：第１蓋体部
Ｌ１２　，Ｌ２２：第２蓋体部
Ｐ：パイプ
２：キャップ本体の開口
３：キャップ本体のケーブル収容部（ケーブル収容空間）
６：ビス
１０：蓋体の接続口
３２：防雨筒部
【図１】
2004129326.tif 000003
【図２】
2004129326.tif 000004
【図３】
2004129326.tif 000005
【図４】
2004129326.tif 000006
【図５】
2004129326.tif 000007
【図６】
2004129326.tif 000008
【図７】
2004129326.tif 000009
【図８】
2004129326.tif 000010
【図９】
2004129326.tif 000011
【図１０】
2004129326.tif 000012